(57)【要約】【課題】部品点数を減らし、製品コストを低減させることができる排熱構造及びプロジェクタを提供する。【解決手段】筐体２と、該筐体２に形成された開口２２を介して交換可能に筐体２に収容される光源装置１０とを備え、光源装置１０の光を用いて画像を投影するプロジェクタ１において、開口２２を開閉するカバー３に、筐体２内の空気を排気する排気孔３５を設ける。【選択図】図１
2008281952.tif 000002
【特許請求の範囲】
【請求項１】
開口部を有し、該開口部を介して交換可能な熱源を収容する筐体内の熱を排気する排熱構造において、
前記開口部を開閉するカバーに、筐体内の空気を排気する排気孔が設けられていることを特徴とする排熱構造。
【請求項２】
筐体と、該筐体に形成された開口部を介して交換可能に前記筐体に収容される光源装置と、前記筐体内を冷却する送風機とを備え、前記光源装置の光を用いて画像を投影するプロジェクタにおいて、
前記送風機の風により筐体内の空気を排気する排気孔が設けられ、前記開口部を開閉するカバー
を備えていることを特徴とするプロジェクタ。
【請求項３】
前記カバーは、前記筐体に蝶着されていることを特徴とする請求項２に記載のプロジェクタ。
【請求項４】
前記光源装置を駆動する電源がオンの場合、前記開口部が開口されたときに前記電源をオフに切り替える切替手段をさらに備えていることを特徴とする請求項２又は３に記載のプロジェクタ。
【請求項５】
前記切替手段は、
前記開口部を閉塞した前記カバーと前記筐体とを係止する棒状の係止部材と、
前記係止部材を挿入する挿入孔と、
該挿入孔に挿入された前記係止部材が押圧する押圧部と、
該押圧部と接触した場合に前記光源装置に電力を供給する接触部と、
前記押圧部を前記接触部と隔離し、前記係止部材からの押圧により前記接触部と接触可能に保持する保持部材と
を有していることを特徴とする請求項４に記載のプロジェクタ。
【請求項６】
前記開口部は、前記筐体における前記画像を投影する方向に形成されていることを特徴とする請求項２乃至５の何れか１項に記載のプロジェクタ。
【発明の詳細な説明】
【技術分野】
【０００１】
本発明は、筐体内の熱を排気する排熱構造、及び排熱構造を有し、高輝度の光を利用して画像を投影するプロジェクタに関する。
【背景技術】
【０００２】
プレゼンテーション又は映像の映写の分野では、画像を投影するプロジェクタが用いられている。プロジェクタは、画像を形成した液晶パネル又はＤＭＤ（Digital Micromirror Device）等の画像デバイスと、高輝度の光を照射する光源装置とを備えている。そして、光源装置の光で画像デバイスを照明し、画像デバイスで反射又は画像デバイスを透過した光をスクリーン又は壁等に投射することによって、画像を投影するようになっている。このようなプロジェクタの光源装置は消耗品であり、必要に応じて、使用者が光源装置を交換する必要がある。
【０００３】
光源装置の交換作業を容易にするために、特許文献１には、使用状態で光源装置の交換作業が可能となるプロジェクタが開示されている。具体的には、テーブルに載置して使用するプロジェクタにおいて、ケース上面に開閉可能なカバーが設けられている。そして、カバーを取り外すことで、光源装置の交換が可能となっている。
【特許文献１】特開２００３−４３５８３号公報
【発明の開示】
【発明が解決しようとする課題】
【０００４】
かかる特許文献１において、前記カバー、及びケース内の熱を外部に逃すための排気ルーバーは、高熱を発する光源ユニットの近傍に設けられている。このため、特に記載はないが、カバー及び排気ルーバーは耐熱性を必要とする。そして、耐熱性が必要なカバー及び排気ルーバーは、ケースの他の個所よりも高価な材料が必要となる。その結果、特許文献１のプロジェクタは、高価な材料の部品点数が増え、製品コストが高くなってしまう。
【０００５】
本発明はかかる事情に鑑みてなされたものであり、その目的とするところは、カバーと排気ルーバーとが一体化した構成とすることにより、部品点数を減らし、製品コストを低減させることができる排熱構造及びプロジェクタを提供することにある。
【０００６】
また、本発明の他の目的は、カバーを軸回転させて開閉する構成とすることで、開閉時の部品の落下を防ぐことができるプロジェクタを提供することにある。
【０００７】
また、本発明の他の目的は、開口部が開口された場合に電源をオフにする構成とすることにより、作業時の安全性を確保するプロジェクタを提供することにある。
【０００８】
さらに、本発明の他の目的は、カバーの開閉に伴い電力の供給と遮断とを切り替える構成とすることにより、簡単に電力の供給と遮断とを切り替えることができるプロジェクタを提供することにある。
【０００９】
また、本発明の他の目的は、開口部を画像の投影方向に形成した構成にすることにより、カバーを開閉しやすくするプロジェクタを提供することにある。
【課題を解決するための手段】
【００１０】
本発明に係る排熱構造は、開口部を有し、該開口部を介して交換可能な熱源を収容する筐体内の熱を排気する排熱構造において、前記開口部を開閉するカバーに、筐体内の空気を排気する排気孔が設けられていることを特徴とする。
【００１１】
本発明においては、熱源を交換する場合に、カバーを開けることで、開口部を介して熱源を筐体に出し入れすることができる。また、カバーを閉め、開口部を閉塞することで、使用者による手の突っ込み、又は外部からの埃の進入等を防止できる。さらに、カバーに筐体内の空気を外部に流出させる排気孔が設けられているため、カバーを閉めた場合であっても、筐体内の熱を外部に逃すことができる。
【００１２】
別の観点において、本発明に係るプロジェクタは、筐体と、該筐体に形成された開口部を介して交換可能に前記筐体に収容される光源装置と、前記筐体内を冷却する送風機とを備え、前記光源装置の光を用いて画像を投影するプロジェクタにおいて、前記送風機の風により筐体内の空気を排気する排気孔が設けられ、前記開口部を開閉するカバーを備えていることを特徴とする。
【００１３】
本発明においては、光源装置を交換する場合に、カバーを開けることで、開口部を介して光源装置を筐体に出し入れすることができる。また、プロジェクタが使用又は不使用の場合には、カバーを閉め、開口部を閉塞することで、使用者による手の突っ込み、又は外部からの埃の進入等を防止できる。さらに、カバーに筐体内の空気を外部に流出させる排気孔が設けられているため、カバーを閉めた場合であっても、筐体内の熱を外部に逃すことができる。
【００１４】
本発明に係るプロジェクタは、前記カバーは、前記筐体に蝶着されていることを特徴とする。
【００１５】
また、本発明においては、カバーが筐体に蝶着されているため、カバーを回動して開口部を開閉することができる。
【００１６】
本発明に係るプロジェクタは、前記光源装置を駆動する電源がオンの場合、前記開口部が開口されたときに前記電源をオフに切り替える切替手段をさらに備えていることを特徴とする。
【００１７】
また、本発明においては、光源装置を駆動させる電源がオンの状態であっても、開口部を開口する際に、電源をオフにできる。
【００１８】
また、本発明に係るプロジェクタは、前記切替手段は、前記開口部を閉塞した前記カバーと前記筐体とを係止する棒状の係止部材と、前記係止部材を挿入する挿入孔と、該挿入孔に挿入された係止部材が押圧する押圧部と、該押圧部と接触した場合に前記光源装置に電力を供給する接触部と、前記押圧部を前記接触部と隔離し、前記係止部材からの押圧により前記接触部と接触可能に保持する保持部材とを有していることを特徴とする。
【００１９】
本発明においては、開口部をカバーにより閉塞した場合、係止部材によりカバーと筐体とを係止できる。また、係止部材を挿入孔に挿入することで、係止部材が押圧部を押圧し、押圧部と接触部材とが接触し、光源装置に電力を供給できる。さらに、係止部材を挿入孔から抜くことにより、押圧部が、押圧部との接触時に光源装置に電力を供給する接触部材から隔離する。
【００２０】
さらに、本発明に係るプロジェクタは、前記開口部は、前記筐体における前記画像を投影する方向に形成されていることを特徴とする。
【００２１】
また、本発明においては、障害物を置くことが少ない画像の投影方向から、開口部の開閉を行うことができる
【発明の効果】
【００２２】
本発明により、光源装置を交換するための開口部を開閉するカバーに、筐体内の空気を排気する排気孔が設けられているため、部品の数を減らすことができ、製品コストを低減させることが可能となる効果を有する。
【発明を実施するための最良の形態】
【００２３】
以下、図面に基づき、本発明のプロジェクタの好適な実施の形態について説明する。プロジェクタは、光源から射出される光束を画像情報に応じて変調して画像光を形成し、形成した画像光をスクリーン又は壁等に拡大投射するものである。図１は、プロジェクタ１を上方から見た全体斜視図であり、図１（ａ）は、カバー３を閉めたプロジェクタの斜視図、図１（ｂ）は、カバー３を開けたプロジェクタの斜視図である。また、図２は、図１（ｂ）のII―II線における概略の断面図である。
【００２４】
プロジェクタ１は、外観を形成する合成樹脂製の外装ケースであって、底面、上面、及び４つの側面から略直方体形状に形成された筐体２を備えている。筐体２は、光源装置（熱源）１０、送風機１１、ミラー及びレンズ等の光学部品、並びにＤＭＤ又は液晶パネル等の光変調デバイス等を収容している。これら光源装置１０、送風機１１及び光変調デバイス等の電気部品は、筐体２内の底面に配される回路基板に電気的に接続され、回路基板に形成された制御回路により動作が制御される。また、回路基板にはコネクタが接続されており、電源コードを介してコネクタから供給される電力により回路基板の回路が動作し、前記電気部品に電力が供給されるようにしてある。なお、光源装置１０は、高輝度の光を照射する装置である。送風機１１は、光源装置１０により高温となる筐体２内を冷却するための送風装置である。
【００２５】
また、プロジェクタ１は、テーブル又は棚等に載置して使用し、筐体２の底面及び上面のそれぞれには調整機構２ａ及び操作パネル２ｂが設けられている。調整機構２ａは、載置した際の筐体２の傾きを調整する。また、操作パネル２ｂは、プロジェクタ１の電源のオンオフ操作、画像投影の開始及び調整等を行うボタン及びスイッチ等を有している。
【００２６】
筐体２には、上面から一の側面にかけて、投射レンズ４が筐体２から露出して嵌合する切欠部２１が形成されている。この投射レンズ４は、筒状の鏡筒内に複数のレンズが収納された組レンズとして構成され、プロジェクタ１の装置本体により画像情報に応じて変調された画像光を、図示しないスクリーン又は壁等に拡大投射する。
【００２７】
以下の説明において、画像光を投射する方向を前方向とし、切欠部２１が設けられた筐体２の側面を前面とする。そして、前面に対向する側面を背面とする。また、前面に向かって左側を左方向とし、前面の左側の側面を左側面とする。さらに、左側面に対向する側面を右側面とする。この場合において、切欠部２１は、前面の右側に設けられている。
【００２８】
筐体２には、図１（ｂ）に示すように、前面の略中央から左側面にかけて、矩形状の開口（開口部）２２が形成されている。開口２２は、開口２２の近傍に着脱可能に装着される光源装置１０が通過可能な大きさを有している。そして、かかる開口２２を介して光源装置１０の着脱作業が行われる。なお、前面には投射レンズ４が設けられているため、画像の投影の邪魔となるものが筐体２の前面側に置かれることが少ない。従って、前面に開口２２を設けることにより、使用者は光源装置１０の交換作業を行い易くなる。
【００２９】
また、筐体２の左前端部には、柱状の係合部材２３が上面と底面とに挟持されている。かかる係合部材２３は、後述のカバー３を閉める際に、カバー３の切欠部３１と係合し、カバー３を係止すると共に、開口２２における筐体２の強度を補強している。
【００３０】
係合部材２３の背面側であって、筐体２の底面には、スイッチ部（切替手段）２４が立設している。スイッチ部２４には、左側面の鉛直方向に開口する挿入孔２４ａが設けられている。挿入孔２４ａは、開口２２を閉塞するカバー３と筐体２とを係止する係止棒（係止部材）２５が挿入可能となっている。
【００３１】
図３（ａ）は、係止棒２５を挿入孔２４ａに完全に挿入する前のスイッチ部２４の概略断面図である。図３（ｂ）は、係止棒２５を挿入孔２４ａに完全に挿入した場合のスイッチ部２４の概略断面図である。なお、図３では示していないが、係止棒２５は、後述のカバー３の止め穴３４を介して、挿入孔２４ａに挿入される。
【００３２】
スイッチ部２４は、前述の回路基板に形成される電源回路と接続しており、電源回路をオンとオフとに切り替える接触スイッチ２４ｂを有している。具体的には、接触スイッチ２４ｂは、電源回路を駆動状態と停止状態とに切り替える。この電源回路は、駆動状態において操作パネル２ｂにより電源がオンにされた場合に、光源装置１０及び送風機１１等に電力を供給する。また、操作パネル２ｂにより電源がオンにされた場合であっても、停止状態であれば電力の供給を停止する。即ち、接触スイッチ２４ｂは、操作パネル２ｂによる電源のオンオフ操作に関係なく、電力の供給と停止とを切り替える。
【００３３】
接触スイッチ２４ｂは、押圧部２４１、接触部２４２及び板バネ（保持部材）２４３を備えている。押圧部２４１及び接触部２４２は、接触時に電源回路を駆動状態にし、非接触時に電源回路を停止状態にする。また、板バネ２４３は、押圧部２４１が接触部２４２側に押圧された場合に互いに接触するように、押圧部２４１及び接触部２４２を隔離して保持している。
【００３４】
この接触スイッチ２４ｂは、図３（ａ）に示すように、押圧部２４１が挿入孔２４ａ内に突出し、挿入孔２４ａに挿入される係止棒２５が当接するように配設される。この場合、押圧部２４１と接触部２４２とは隔離しており、電源回路は停止状態となる。即ち、係止棒２５を挿入孔２４ａに挿入していない場合、光源装置１０及び送風機１１には電力が供給されない。
【００３５】
また、接触スイッチ２４ｂは、図３（ｂ）に示すように、挿入孔２４ａに挿入された係止棒２５により押圧部２４１が押し下げられ、接触部２４２と接触する構成となっている。押圧部２４１と接触部２４２とが接触することにより、電源回路は駆動状態となる。即ち、係止棒２５を挿入孔２４ａに挿入した場合、光源装置１０及び送風機１１に電力が供給される。なお、係止棒２５を挿入孔２４ａから抜いた場合、押圧部２４１は板バネ２４３の弾性力により、押圧部２４１と接触部２４２とは隔離し、電源回路は停止状態となる。
【００３６】
係止棒２５は、カバー３を閉めた際に、カバー３と筐体２とを係止する部材であるため、カバー３を開ける場合に、係止棒２５は挿入孔２４ａから抜かれる。そして、係止棒２５を抜くことにより、光源装置１０及び送風機１１等への電力供給が停止されるため、カバー３を開ける操作を行うだけで、電力供給の停止を行うことができる。これにより、感電又は回路のショート等を防止でき、光源装置１０の交換時における安全性を確保できる。
【００３７】
筐体２には、開口２２を開閉するカバー３が蝶着されている。開口２２は、光源装置１０の装着位置と近接しているため、かかる開口２２を開閉するカバー３は、光源装置１０が発する熱に耐え得る材質、例えば、熱可塑性樹脂又は熱硬化性樹脂等の耐熱プラスチックにより形成される。なお、カバー３の材質は、光源装置１０が発する熱量及び光源装置１０までの距離に基づいて、適宜決定される。
【００３８】
カバー３は、図２に示すように、板状の長手部材の一端部に短手部材が直角に配設され、上下方向から見た場合、略Ｌ字形状を有している。そして、長手部材と短手部材との接合部分には切欠部３１が形成されている。かかる切欠部３１には、上述の係合部材２３が係合する。また、短手部材と反対側の長手部材の端部には、回転軸３ａが設けられている。この回転軸３ａが、開口２２の右端近傍において、筐体２の上面と底面とに軸支される。
【００３９】
前記カバー３は、回転軸３ａを中心に回転し、開口２２を閉塞及び開口する。そして、カバー３を閉め、開口２２を閉塞した場合、切欠部３１と係合部材２３とが係合する。また、カバー３の長手部材が筐体２の前面を形成し、短手部材が筐体２の左側面を形成する。
【００４０】
カバー３の短手部材の先端部には、引掛部３２が設けられている。引掛部３２は、カバー３を閉めた場合に筐体２の左側面の内側に入り込む。これにより、引掛部３２が筐体２の左側面に引っ掛かり、カバー３が筐体２と係止し、閉めたカバー３が振動又は衝撃等により開くことを防止する。なお、引掛部３２は弾力性を有しており、筐体２側に押し込むことで引掛部３２が筐体２の内側に入り込むようになっている。さらに、カバー３の短手部材には、把持部３３が設けられている。把持部３３は、カバー３を開ける際に使用者が指を引掛ける取っ手である。即ち、把持部３３を引っ張ることで、弾力性を有する引掛部３２が筐体２から外れるようになっている。
【００４１】
また、カバー３の短手部材には、カバー３を閉めた場合にスイッチ部２４の挿入孔２４ａと重合する止め穴３４が設けられている。止め穴３４は、係止棒２５が挿通可能な径を有している。そして、上述のように、カバー３を閉めた場合に、係止棒２５を止め穴３４及び挿入孔２４ａに挿入することで、カバー３を係止できるようになっている。なお、係止棒２５の一端は、止め穴３４の径よりも大きくなっており、かかる一端で係止棒２５の挿入が停止するようになっている。
【００４２】
上述のように、係止棒２５を挿入孔２４ａから抜いた場合、電源回路は停止状態となる。従って、カバー３を開ける作業を行うことで、光源装置１０への電力供給が停止されるため、安全に光源装置１０の交換作業を行うことができる。
【００４３】
また、カバー３を閉めた場合に前面を形成する長手部分には、矩形状に開口された複数の排気孔３５が配列されている。筐体２内に収容される送風機１１からの風は、これら排気孔３５から排出され、筐体２内の熱を外部に逃すようになっている。また、排気孔３５は、開口に所定の角度で取り付けられた羽根を有している。角度を設けて羽根が取り付けられることで、送風機１１による風を効率よく外部へ排気することができ、かつ、光源装置１０からの光が外部へ漏洩することを防止できる。かかる角度は、適宜変更可能である。
【００４４】
なお、送風機１１は、カバー３に向かって送風するように筐体２内に配置され、光源装置１０は、カバー３と送風機１１との間に介在するように配置される。これにより、送風方向に光源装置１０と排気孔３５とが配置されるため、送風機１１からの風を排気孔３５に導く風路を特に設けることなく、光源装置１０を冷却する風をカバー３の排気孔３５から排気できる。
【００４５】
次に、上述のように構成されたプロジェクタ１において、カバー３を開閉し、光源装置１０を交換する方法について説明する。
【００４６】
プロジェクタ１の使用時又は不使用時において、カバー３が閉められ、筐体２の開口２２を閉塞している。開口２２を閉塞することで、外部からの埃の進入を防止できる。この場合において、カバー３の止め穴３４及びスイッチ部２４の挿入孔２４ａには、係止棒２５が挿入されている。そして、係止棒２５により、スイッチ部２４の押圧部２４１と接触部２４２とが接触し、電源回路は駆動状態となり、操作パネル２ｂによりプロジェクタ１の電源をオンにできる。
【００４７】
光源装置１０を交換する際、係止棒２５を止め穴３４及び挿入孔２４ａから抜き、把持部３３を引っ張り、カバー３の引掛部３２を筐体２の左側面から外す。これにより、カバー３が回動可能な状態となる。また、係止棒２５を抜くことにより、係止棒２５によって押し下げられている押圧部２４１が接触部２４２から隔離する。これにより、電源回路は停止状態となる。この場合において、操作パネル２ｂにより電源がオンにされている場合であっても、光源装置１０及び送風機１１への電力供給が停止する。その結果、光源装置１０の交換時の感電又はショート等の事故を防止できる。
【００４８】
光源装置１０の交換終了後、カバー３を閉め、引掛部３２を筐体２の左側面の内側に押し込む。そして、係止棒２５を止め穴３４及び挿入孔２４ａに挿入し、カバー３と筐体２とを係止する。このとき、スイッチ部２４の押圧部２４１は、挿入された係止棒２５により押し下げられ、接触部２４２と接触する。そして、電源回路が駆動状態となる。これにより、操作パネル２ｂにより電源をオンにすることで、プロジェクタ１が使用可能となる。
【００４９】
以上説明したように、本実施の形態のプロジェクタ１は、筐体２と、筐体２に形成された開口２２を介して交換可能に筐体に収容される光源装置１０と、筐体２内を冷却する送風機１１とを備え、送風機１１の風により筐体２内の空気を排気する排気孔３５が設けられ、開口２２を開閉するカバー３を備えている。即ち、従来は別々に設けていた光源装置１０のカバーと排気孔を、一体にすることで、部品点数を少なくでき、製品コストを抑えることができる。
【００５０】
かかるカバー３は、筐体２に蝶着され、開閉動作に同期してプロジェクタ１の電源回路の駆動状態と停止状態とを切り替えている。これにより、開閉時におけるカバー３の落下を防止できる。また、開閉するだけの操作で電力供給を停止することで、感電又は回路のショート等を防止できる。
【００５１】
なお、本実施の形態では、プロジェクタとして説明しているが、これに限定されることはない。例えば、交換可能な熱源を収容する筐体に、上述の排熱構造を適用するようにしてもよい。また、本実施の形態では、底面をテーブル又は棚に載置して使用するプロジェクタとしているが、縦置き、横置き、又は天井に吊す等、使用状態を限定することはない。さらに、光源装置１０の着脱作業を行う開口は、画像の投影方向でなくてもよい。例えば、底面をテーブル又は棚に載置して使用するプロジェクタの場合、上面に開口を設けるようにしてもよい。また、光源装置１０、送風機１１及びカバー３の配置は、実施の形態で述べた位置に限定されることはない。
【００５２】
以上、本発明の好適な一実施の形態について、具体的に説明したが、各構成及び各処理動作等は適宜変更可能であって、上述の実施の形態に限定されることはない。
【図面の簡単な説明】
【００５３】
【図１】（ａ）はカバーを閉めたプロジェクタの斜視図、（ｂ）はカバーを開けたプロジェクタの斜視図である。
【図２】図１（ｂ）のII―II線における概略の断面図である。
【図３】（ａ）は係止棒が完全に挿入される前のスイッチ部の概略断面図、（ｂ）は係止棒が完全に挿入された場合のスイッチ部の概略断面図である。
【符号の説明】
【００５４】
１  プロジェクタ
２  筐体
３  カバー
４  投射レンズ
１０  光源装置
２２  開口
３５  排気孔
【図１】
2008281952.tif 000003
【図２】
2008281952.tif 000004
【図３】
2008281952.tif 000005